(57)【特許請求の範囲】
【請求項１】
送信信号を変調する変調部と、キャリア成分以外の送信帯域内のスプリアスを除去する第１および第２のバンドパスフィルタと、前記バンドパスフィルタの出力を増幅するパワーアンプと、前記パワーアンプの出力をアンテナに接続するスイッチと、前記変調部から出力する信号の周波数に応じて前記第１のバンドパスフィルタを経由する第１の経路と第２のバンドパスフィルタを経由する第２の経路とを選択的に切り換えるスイッチ手段と、前記スイッチ手段のタイミングを制御する制御手段とを備えた送信装置。
【発明の詳細な説明】
【０００１】
【発明の属する技術分野】
本発明は、アナログ携帯電話、デジタル携帯電話等の移動体通信における送信装置に関する。
【０００２】
【従来の技術】
近年、携帯電話の普及はめざましいものがあるが、他の携帯電話との干渉を抑えるためにはキャリア成分以外のスプリアスを除去する必要があり、従来の送信装置においても、このようなスプリアスを除去する手段を備えている。
【０００３】
図３は従来のこの種の送信装置の構成を示している。図３において、変調部１の出力は、バンドパスフィルタ２により送信帯域外のスプリアスが除去され、パワーアンプ３に入力される。パワーアンプ３で増幅した出力は、アンテナ共用器４を経由して再度送信帯域外のスプリアスを除去し、アンテナ５から自由空間に放出される。変調部１から出力される送信信号の周波数は、ＣＰＵ６で制御される。またアンテナ５から受信した信号は、アンテナ共用器４から受信部７へ出力される。
【０００４】
【発明が解決しようとする課題】
しかしながら、上記従来の送信装置では、パワーアンプ３の後の送信帯域外のスプリアスをアンテナ共用器４にフィルタを挿入することで除去するため、送信装置の小型化することができなかった。すなわち、アンテナ共用器４のフィルタをなくして小型化を図ろうとすると、パワーアンプ３の出力にＩＭ成分である送信帯域外のスプリアスが生じ、これがアンテナ共用器４を通過してアンテナ５から自由空間に放出されるため、アンテナ共用器４のフィルタをなくすことができず、小型化するには限界があった。
【０００５】
本発明は、このような従来の問題を解決するものであり、小型化が可能な送信装置を提供することを目的とする。
【０００６】
【課題を解決するための手段】
本発明は、上記目的を達成するために、変調部の出力信号の周波数ごとに異なる帯域のバンドパスフィルタを通過する２つの経路を作り、パワーアンプ出力における送信帯域内のノイズから生じるＩＭ成分による送信帯域外のスプリアスを減衰させるようにしたものである。これにより、アンテナ共用器のフィルタをなくしてスイッチ化することができ、送信装置の小型化を図ることができる。
【０００７】
【発明の実施の形態】
本発明の請求項１に記載の発明は、送信信号を変調する変調部と、キャリア成分以外の送信帯域内のスプリアスを除去する第１および第２のバンドパスフィルタと、前記バンドパスフィルタの出力を増幅するパワーアンプと、前記パワーアンプの出力をアンテナに接続するスイッチと、前記変調部から出力する信号の周波数に応じて前記第１のバンドパスフィルタを経由する第１の経路と第２のバンドパスフィルタを経由する第２の経路とを選択的に切り換えるスイッチ手段と、前記スイッチ手段のタイミングを制御する制御手段とを備えた送信装置であり、パワーアンプの出力における送信帯域外のスプリアスを減衰させることにより、アンテナ共用器のフィルタをなくしてスイッチ化することができ、送信装置の小型化を図ることができる。
【０００９】
（実施の形態１）
以下、本発明の実施の形態を図面を参照して説明する。図１は本発明の第１の実施の形態における送信装置の構成を示すものである。図１において、１１は送信信号を変調する変調部、１２は変調部１１の後の経路を決めるスイッチ、１３、１４はキャリア成分以外の送信帯域内のスプリアスを除去する第１および第２のバンドパスフィルタ、１５はバンドパスフィルタ１３、１４の出力を増幅するパワーアンプ、１６はパワーアンプ１５の出力をアンテナ１７と受信部１８に選択的に接続するアンテナスイッチ、１９は変調部１１から出力する信号の周波数制御を行うとともに、変調部１１から出力する信号の周波数に合わせてスイッチ１２を切り換える制御部であり、切り換えるタイミングをカウントするタイマー回路を備えている。
【００１０】
次に上記実施の形態における動作について説明する。ＣＰＵ１９により指定された周波数の信号が変調部１１から出力され、その出力信号の周波数によってスイッチ１２がＣＰＵ１９により切り換えられ、バンドパスフィルタ１３を通る第１の経路か、またはバンドパスフィルタ１４を通る第２の経路のいずれかを選択し、送信帯域内のスプリアスを除去する。バンドパスフィルタ１３または１４を通過した信号は、パワーアンプ１５により増幅され、スイッチ１６によりアンテナ１７を通じて自由空間に放出される。
【００１１】
このように、本実施の形態１によれば、ＣＰＵ１９の制御による出力信号の周波数によって通過するバンドパスフィルタ１３または１４を変えることにより、送信帯域内のスプリアスをパワーアンプ１５の入力前で除去することができ、パワーアンプ１５に入力する送信出力と送信帯域内のノイズ成分によりパワーアンプ１５の出力に生じるＩＭ成分である送信帯域外のスプリアスを除去することができる。このため、フィルタを備えたアンテナ共用器の代わりにアンテナスイッチ１６を用いることにより、送信装置を小型化することができる。
【００１２】
（実施の形態２）
図２は本発明の第２の実施の形態における送信装置の構成を示すものである。図２において、２１は送信信号を変調する変調部、２２は変調部２１の後の経路を決めるスイッチ、２３はキャリア成分以外のスプリアスを除去する第１のバンドパスフィルタ、２４は送信帯域を制限する第２のバンドパスフィルタ、２５はバンドパスフィルタ２３、２４の出力を増幅するパワーアンプ、２６はパワーアンプ２５の出力をアンテナ２７と受信部２８に選択的に接続するアンテナスイッチ、２９は変調部２１から出力する信号の周波数制御を行うとともに、変調部２１から出力する信号の周波数に合わせてスイッチ２２を切り換える制御部であり、切り換えるタイミングをカウントするタイマー回路を備えている。
【００１３】
次に上記実施の形態における動作について説明する。本実施の形態が上記第１の実施の形態と異なるのは、スイッチ２２によりバンドパスフィルタ２３を通る経路と通らない経路とに経路を選択することである。ＣＰＵ２９により指定された周波数の信号が変調部２１から出力され、その出力信号の周波数によってスイッチ２２がＣＰＵ２９により切り換えられ、バンドパスフィルタ２３および２４を通る第１の経路か、またはバンドパスフィルタ２４のみを通る第２の経路のいずれかを選択し、バンドパスフィルタ２３を通る第１の経路を選択した場合にのみ、送信帯域以外のスプリアスを除去する。バンドパスフィルタ２４を通過した信号は、パワーアンプ２５により増幅され、スイッチ２６によりアンテナ２７を通じて自由空間に放出される。
【００１４】
このように、本実施の形態２によれば、ＣＰＵ２９の制御による出力信号の周波数によって第１のバンドパスフィルタ２３を通る第１の経路を選択することにより、送信帯域内のスプリアスをパワーアンプ２５の入力前で除去することができ、パワーアンプ２５に入力する送信出力と送信帯域内のノイズ成分によりパワーアンプ２５の出力に生じるＩＭ成分である送信帯域外のスプリアスを除去することができる。このため、フィルタを備えたアンテナ共用器の代わりにアンテナスイッチ２６を用いることにより、送信装置を小型化することができる。
【００１５】
【発明の効果】
本発明は、上記実施の形態から明らかなように、通過するバンドパスフィルタの経路を送信信号の周波数ごとに変更することにより、送信帯域内のノイズ成分によりパワーアンプ出力に生じるＩＭ成分である送信帯域外のスプリアスを除去することができ、アンテナ共用器のフィルタをなくしてスイッチ化することにより、送信装置を小型化できる効果を有する。
【図面の簡単な説明】
【図１】本発明の第１の実施の形態における送信装置の構成を示すブロック図
【図２】本発明の第２の実施の形態における送信装置の構成を示すブロック図
【図３】従来例における送信装置の構成を示すブロック図
【符号の説明】
１１、２１    変調部
１２、２２    スイッチ
１３、１４、２３、２４    バンドパスフィルタ
１５、２５    パワーパンプ
１６、２６    アンテナスイッチ
１７、２７    アンテナ
１８、２８    受信部
１９、２９    ＣＰＵ
【図１】
0003573922.tif 000002
【図２】
0003573922.tif 000003
【図３】
0003573922.tif 000004